(57)【要約】      （修正有）【課題】ポイントを介して消費者、店舗、広告主及びシステム運用主体の全体の利益を企図するアフィリエイト広告システムを提供する。【解決手段】運用サーバと、１又は複数の広告サーバとを備えたアフィリエイト広告システムであって、前記運用サーバは、所定の店舗のレシート、レジ袋等の付された二次元コードを読み取ったユーザ端末からの要求により、当該ユーザの蓄積したポイント数を表示するとともに、ポイントを貯めること及びポイントを使うことを選択させるユーザページを前記ユーザ端末に送信し、前記ユーザページにてポイントを使うことが選択された場合に、前記ユーザのポイント数を減算する。一方、ポイントを貯めることが選択された場合に、前記広告サーバは、前記ユーザに対して付与したポイントの情報を前記運用サーバに送信し、前記運用サーバは、受信したポイント情報に基づいて、前記ユーザのユーザのポイント数を加算する。【選択図】図１
2008210207.tif 000002
【特許請求の範囲】
【請求項１】
運用サーバと、１又は複数の広告サーバとを備えたアフィリエイト広告システムであって、
前記運用サーバは、ユーザ毎にユーザＩＤ、パスワード及びポイント数を記憶するデータベースと、店舗サイトのデータとを備えており、
前記広告サーバは、広告、販売等を行うとともに、ユーザ登録、メールアドレス登録、アンケート回答、物品の購入等の行為により当該ユーザに対してポイントを付与するサーバであり、
前記運用サーバは、所定の店舗のレシート、レジ袋等のスペースに付された二次元コードを読み取ったユーザ端末からの要求により、該当する店舗サイトのページを前記ユーザ端末に送信して、ユーザＩＤ及びパスワードの入力を促し、
前記入力されたユーザＩＤに該当するユーザページであって、当該ユーザの蓄積したポイント数を表示するとともに、ポイントを貯めること及びポイントを使うことを選択させるユーザページを前記ユーザ端末に送信し、
前記ユーザページにてポイントを使うことが選択された場合に、前記データベースにおいて前記ユーザＩＤのポイント数を減算するとともに、１回のみ使用することができるクーポン券又はバーコードの画像を生成し、その画像のＵＲＬを前記ユーザ端末に送信し、
前記ユーザ端末からの要求により、前記クーポン券又はバーコードの画像を前記ユーザ端末に送信し、
一方、前記ユーザページにてポイントを貯めることが選択された場合に、前記広告サーバは、前記ユーザ端末のユーザに対し、ユーザ登録、メールアドレス登録、アンケート回答、物品の購入等を促し、
前記行為がなされた場合に、前記広告サーバは、前記ユーザに対して付与したポイントの情報を前記運用サーバに送信し、
前記運用サーバは、前記広告サーバから受信したポイント情報に基づいて、前記データベースにおいて前記ユーザのユーザＩＤのポイント数を加算し、
もって、前記ユーザ端末のユーザは、前記ユーザ端末に表示されたクーポン券又はバーコードを所定の店舗で提示することにより、前記ポイントに応じたサービスを受けることができる
ことを特徴とするアフィリエイト広告システム。
【請求項２】
前記運用サーバは、ユーザＩＤに関連付けてメールアドレスを記憶しており、前記メールアドレスに対して広告メールを送信することを特徴とする請求項１に記載のアフィリエイト広告システム。
【請求項３】
前記広告サーバは、ユーザ登録、メールアドレス登録、アンケート回答、物品の購入等において取得したメールアドレスを記憶し、前記メールアドレスに対して広告メールを送信することを特徴とする請求項１又は２に記載のアフィリエイト広告システム。
【発明の詳細な説明】
【技術分野】
【０００１】
本発明は、レシート、レジ袋等のスペースを利用し、ポイント介して消費者、店舗、広告主及びシステム運用主体の全体の利益を企図するアフィリエイト広告システムに関するものである。
【背景技術】
【０００２】
従来より、種々の店舗において、買い物の金額に応じて消費者に対しポイントを付与して、消費者がそのポイントを使うことにより、値引きを行うサービスがなされている。
【発明の開示】
【発明が解決しようとする課題】
【０００３】
各店舗は、上記サービスによって集客することはできるが、自身の負担により値引きを行う必要があるため、結果的に売上や利益が増加しない場合が往々にしてある。
一方、広告主は、いかに効率良く消費者に対して広告を行うか、ということが課題となっている。
【０００４】
本発明は、このような実情に鑑みてなされたものであり、ポイント介して消費者、店舗、広告主及びシステム運用主体の全体の利益を企図するアフィリエイト広告システムを提供することを目的とする。
【課題を解決するための手段】
【０００５】
上記目的を達成するために、本発明は、運用サーバと、１又は複数の広告サーバとを備えたアフィリエイト広告システムであって、前記運用サーバは、ユーザ毎にユーザＩＤ、パスワード及びポイント数を記憶するデータベースと、店舗サイトのデータとを備えており、前記広告サーバは、広告、販売等を行うとともに、ユーザによるユーザ登録、メールアドレス登録、アンケート回答、物品の購入等の行為により当該ユーザに対してポイントを付与するサーバであり、前記運用サーバは、所定の店舗のレシート、レジ袋等のスペースに付された二次元コードを読み取ったユーザ端末からの要求により、該当する店舗サイトのページを前記ユーザ端末に送信して、ユーザＩＤ及びパスワードの入力を促し、前記入力されたユーザＩＤに該当するユーザページであって、当該ユーザの蓄積したポイント数を表示するとともに、ポイントを貯めること（一例として、広告サーバのＵＲＬが埋められている）及びポイントを使うことを選択させるユーザページを前記ユーザ端末に送信し、前記ユーザページにてポイントを使うことが選択された場合に、前記データベースにおいて前記ユーザＩＤのポイント数を減算するとともに、１回のみ使用することができるクーポン券又はバーコードの画像を生成し、その画像のＵＲＬを前記ユーザ端末に送信し、前記ユーザ端末からの要求により、前記クーポン券又はバーコードの画像を前記ユーザ端末に送信し、一方、前記ユーザページにてポイントを貯めることが選択された場合に、前記広告サーバは、前記ユーザ端末のユーザに対し、ユーザ登録、メールアドレス登録、アンケート回答、物品の購入等を促し、前記行為がなされた場合に、前記広告サーバは、前記ユーザに対して付与したポイントの情報を前記運用サーバに送信し、前記運用サーバは、前記広告サーバから受信したポイント情報に基づいて、前記データベースにおいて前記ユーザのユーザＩＤのポイント数を加算し、もって、前記ユーザ端末のユーザは、前記ユーザ端末に表示されたクーポン券又はバーコードを所定の店舗で提示することにより、前記ポイントに応じたサービスを受けることができることを特徴とするアフィリエイト広告システムを提供する（請求項１）。
【０００６】
上記発明（請求項１）においては、店舗がユーザに対して行うサービスの負担分を、システム運用主体が担うことにより、店舗は無料で集客効果を得ることができる。システム運用主体は、広告サーバにユーザ登録される毎に、広告主から報酬を得ることができる。また、システム運用主体は、二次元コードの利用により、効率良くユーザを集めることができる。一方、広告主は、所定の店舗で買い物を行うといったカテゴライズされたユーザからユーザ登録をしてもらうことができる。ユーザは、店舗において、ポイントに応じたサービスを受けられるという利益がある。
【０００７】
上記発明（請求項１）において、前記運用サーバは、ユーザＩＤに関連付けてメールアドレスを記憶しており、前記メールアドレスに対して広告メールを送信することが好ましい（請求項２）。店舗は、この広告メールの送信により、消費者に効果的にアプローチすることができる。
【０００８】
上記発明（請求項１，２）において、前記広告サーバは、ユーザ登録、メールアドレス登録、アンケート回答、物品の購入等において取得したメールアドレスを記憶し、前記メールアドレスに対して広告メールを送信することが好ましい（請求項３）。これにより、広告主は、カテゴライズされた消費者に対して効果的に広告メールを配信することができる。
【発明の効果】
【０００９】
本発明によれば、ポイント介して消費者、店舗、広告主及びシステム運用主体の全体の利益を企図するアフィリエイト広告システムが提供される。
【発明を実施するための最良の形態】
【００１０】
以下、本発明の実施形態を図面に基づいて説明する。
〔システム構成〕
本実施形態に係るアフィリエイト広告システムは、図１に示すように、インターネット、携帯通信ネットワーク等のネットワークを介して接続された、１つの運用サーバと、複数の広告サーバと、複数のユーザ端末とを備えて構成されており、それらとは別に複数の店舗が存在する。
【００１１】
運用サーバは、ウェブサーバ、ユーザデータベース、店舗データベース、メールサーバ等から構成されている。ユーザデータベースには、登録された各ユーザ（消費者）毎に、ユーザＩＤ、パスワード、メールアドレス、蓄積されたポイント数等が記憶されている。店舗データベースには、各店舗毎に、店舗サイトのページデータ、店舗情報、リンク先として許可されている又は許可されていない広告サーバのＵＲＬ等が記憶されている。この運用サーバは、システム運用主体が運営するものである。
【００１２】
広告サーバは、ウェブサーバ、ユーザデータベース、メールサーバ等から構成されている。ユーザデータベースには、登録されたユーザ（消費者）のメールアドレス等が記憶されている。この広告サーバは、広告主（場合によっては販売サイトの主体）が運営するものである。
【００１３】
ユーザ端末は、二次元コードであるＱＲコード（登録商標；以下同じ。）を撮影することができ、撮影したＱＲコードをＵＲＬに変換し、そのＵＲＬにアクセスすることのできる携帯電話、ＰＨＳ等の端末である。
【００１４】
〔システムフロー〕
本アフィリエイト広告システムのフローを、図２及び図３のフローチャートを参照して説明する。
【００１５】
最初に、店舗は、レシート、レジ袋等のスペースに、当該店舗のサイト（店舗サイト）のＵＲＬを示すＱＲコードを付しておく。この店舗で買い物をした消費者は、ユーザ端末によって、そのＱＲコードを撮影し、ＵＲＬに変換し、そのＵＲＬにアクセスする要求情報を送信する（ステップＳＵ０１）。運用サーバは、その要求情報を受信し（ステップＳＯ０１）、該当する店舗サイトのページをユーザ端末に送信する（ステップＳＯ０２）。
【００１６】
ユーザ端末は、店舗サイトのページを受信し、画面に表示する（ステップＳＵ０２）。この店舗サイトのページには、ユーザＩＤとパスワードを入力させる欄が表示されている。ユーザ端末は、入力されたユーザＩＤ及びパスワードを運用サーバに送信する（ステップＳＵ０３）。なお、説明の簡略化のために、この消費者は、既にユーザ登録を行っているものとするが、新規ユーザの場合には、所定の登録ページからユーザＩＤ、パスワード及びメールアドレスを入力させて、運用サーバのユーザデータベースに記憶させる。
【００１７】
運用サーバは、ユーザＩＤ及びパスワードを受信し、認証を行う（ステップＳＯ０３）。認証が正しくできたら、運用サーバは、当該ユーザＩＤに関連付けてユーザデータベースに記憶されているポイント数を読み出し（ステップＳＯ０４）、そのポイント数を含むユーザページを送信する（ステップＳＯ０５）。
【００１８】
ユーザ端末は、ユーザページを受信し、画面に表示する（ステップＳＵ０４）。このユーザページには、当該消費者が蓄積したポイント数と、「ポイントを貯める」ことを選択させる部分と、「ポイントを使う」ことを選択させる部分とが含まれている。「ポイントを貯める」ことを選択させる部分には、広告サーバのＵＲＬが埋め込まれている。
【００１９】
上記ユーザページにおいて、ユーザが「ポイントを貯める」ことを選択した場合、ユーザ端末は、そこに埋め込まれているＵＲＬにアクセスする要求情報を送信する（ステップＳＵ０５）。広告サーバは、その要求情報を受信し（ステップＳＡ０１）、広告ページをユーザ端末に送信する（ステップＳＡ０２）。なお、上記要求情報には、ユーザＩＤが付加されているものとする。
【００２０】
ユーザ端末は、広告ページを受信し、画面に表示する（ステップＳＵ０６）。この広告ページには、所定の広告内容（場合によってはショッピングサイトの内容）と、ユーザ登録を行った場合に付与するポイント数と、ユーザ登録のためのメールアドレスを入力させる欄（場合によってはアンケート）が表示されている。ユーザ端末は、入力されたユーザ登録情報（メールアドレス）を広告サーバに送信する（ステップＳＵ０３）。
【００２１】
広告サーバは、ユーザ登録情報を受信し、ユーザＩＤとともにユーザデータベースに記憶する（ステップＳＡ０３）。そして、ユーザ端末に対し、当該ユーザに付与したポイント数の情報を送信するとともに、運用サーバに対しても、ユーザＩＤと、そのユーザＩＤに対して付与したポイント数の情報を送信する（ステップＳＡ０４）。
【００２２】
ユーザ端末は、付与されたポイント数の情報を受信し、画面に表示する（ステップＳＵ０８）。また、運用サーバは、ユーザＩＤとポイント数の情報を受信し、ユーザデータベースにおいて、該当するユーザＩＤの蓄積されたポイント数に受信したポイント数を加算する（ステップＳＯ０６）。
【００２３】
一方、上記ステップＳＵ０４でユーザ端末の画面に表示されたユーザページにおいて、ユーザが「ポイントを使う」ことを選択し、使うポイント数を入力した場合、ユーザ端末は、入力されたポイント数を運用サーバに送信する（ステップＳＵ０８）。運用サーバは、そのポイント数を受信し（ステップＳＯ０７）、ユーザデータベースにおいて、該当するユーザＩＤの蓄積されたポイント数から受信したポイント数を減算する（ステップＳＯ０８）。
【００２４】
次いで、運用サーバは、１回のみ使用することができるクーポン券の画像を生成し（ステップＳＯ０９）、その画面のＵＲＬ情報をユーザ端末に送信する（ステップＳＯ０９）。このクーポン券は、使ったポイント数に応じたものとし、例えばユニークな番号を含む。ユーザ端末は、そのＵＲＬ情報を受信し、画面に表示する（ステップＳＵ０９）。ユーザが所望する時点で（例えば店舗で買い物をする時）、ユーザ端末は、そのＵＲＬにアクセスする要求情報を送信する（ステップＳＵ１０）。
【００２５】
運用サーバは、その要求情報を受信し（ステップＳＯ１１）、該当するクーポン券の画像をユーザ端末に送信する（ステップＳＯ１２）。ユーザ端末は、そのクーポン券の画像を受信し、画面に表示する（ステップＳＵ１１）。当該消費者は、ユーザ端末に表示されたクーポン券の画像を上記店舗で示すことにより、使ったポイント数に応じた値引き等のサービスを受けることができる。
【００２６】
なお、運用サーバは、運用サーバに登録された各ユーザのメールアドレスに対して、所定のタイミングで、特売情報や新規店舗情報等の広告メールを送信する。また、広告サーバは、広告サーバに登録された各ユーザのメールアドレスに対して、所定のタイミングで所望の広告メールを送信する。
【００２７】
店舗は、上記クーポン券の情報（例えば番号）及びそれによって値引きした金額をシステム運用主体に連絡する。それにより、システム運用主体は、上記クーポン券の画像又はそのＵＲＬを削除する。そして、店舗が値引きした金額を、店舗に対して補填する。したがって、店舗にとっては、無料で集客効果を得ることができる。すなわち、システム運用主体が用意する店舗サイトが販売促進の役割を果たし、店舗はそれによって消費者の囲い込みを行うことが可能となる。さらには、運用サーバからのメール送信等により、消費者に効果的にアプローチすることができる。
【００２８】
システム運用主体は、広告サーバにユーザ登録される毎に、広告主から報酬を得る。この報酬額を、店舗での値引き額（店舗への補填額）よりも大きく設定することにより、システム運用主体は利益を得ることができる。また、システム運用主体は、ＱＲコードの利用により、効率良くユーザを集めることができる。
【００２９】
広告主は、所定の店舗で買い物を行うといったカテゴライズされた消費者からユーザ登録をしてもらうことができる。場合によっては、アンケート回答を得たり、ショッピングをしてもらって利益を得ることもできる。ユーザ登録によって取得したメールアドレスに広告メールを送信することで、カテゴライズされた消費者に対して効果的に広告を配信することができる。
【００３０】
以上説明した実施形態は、本発明の理解を容易にするために記載されたものであって、本発明を限定するために記載されたものではない。したがって、上記実施形態に開示された各要素は、本発明の技術的範囲に属する全ての設計変更や均等物をも含む趣旨である。
【００３１】
例えば、クーポン券の代わりに、バーコードを採用することもできる。この場合には、店舗のバーコードリーダーで読み取り、その情報をシステム運用主体に自動的に送信することができるという利点がある。
【産業上の利用可能性】
【００３２】
本発明は、店舗の販売促進と、効率の良い広告に有用である。
【図面の簡単な説明】
【００３３】
【図１】本発明の一実施形態に係るアフィリエイト広告システムの構成図である。
【図２】同実施形態に係るアフィリエイト広告システムにおける各装置の処理動作を示すフローチャートである。
【図３】同実施形態に係るアフィリエイト広告システムにおける各装置の処理動作を示すフローチャートである。
【図１】
2008210207.tif 000003
【図２】
2008210207.tif 000004
【図３】
2008210207.tif 000005